(57)【要約】【課題】本発明は、建物基礎の無傷移動工法に関し、基礎の弱体化とならないようして、且つ容易に行える移動工法にすることが課題である。        【解決手段】建物の土台と基礎との間に介在物４を挟んで隙間ａを形成し、前記隙間ａに小補強鋼材５を差し込み、前記小補強鋼材５の端部を筒状の大補強鋼材６の端部における筒状内部に挿入して固定し、前記大補強鋼材６の下部にジャッキと該ジャッキの下に耐圧版をそれぞれ設けて、前記ジャッキを駆動させて前記建物１を持ち上げ、または、持ち上げて更に移動させる建物基礎の無傷移動工法とする。【選択図】図１
2006348512.tif 000002
【特許請求の範囲】
【請求項１】
建物の土台と基礎との間に介在物を挟んで隙間を形成し、
前記隙間に小補強鋼材を差し込み、
前記小補強鋼材の端部を筒状の大補強鋼材の端部における筒状内部に挿入して固定し、
前記大補強鋼材の下部にジャッキと該ジャッキの下に耐圧版をそれぞれ設けて、
前記ジャッキを駆動させて前記建物を持ち上げ、または、持ち上げて更に移動させること、
を特徴とする建物基礎の無傷移動工法。
【請求項２】
建物の土台と基礎との間に介在物を挟んで隙間を形成し、
前記隙間に小補強鋼材を差し込み、
前記小補強鋼材の端部を大補強鋼材の端部の上に載置して固定し、
前記大補強鋼材の下部にジャッキと該ジャッキの下に耐圧版をそれぞれ設けて、
前記ジャッキを駆動させて前記建物を持ち上げ、または、持ち上げて更に移動させること、
を特徴とする建物基礎の無傷移動工法。
【請求項３】
介在物は、防振ゴムパッキン，木材，金属板であること、
を特徴とする請求項１または２に記載の建物基礎の無傷移動工法。
【発明の詳細な説明】
【技術分野】
【０００１】
本発明は、例えば、基礎上における比較的軽量の木造や鉄骨系の建物を上下若しくは横方向に移動させることによる、建物移動または地盤の不同沈下修正における建物基礎の無傷移動工法に関するものである。
【背景技術】
【０００２】
従来、例えば、建物を基礎から持ち上げて強固に支持すると共に移動できるようにする方法として、金属部材でトラス構造にしたものが知られている（特許文献１参照）。
【特許文献１】特開２００４−２３２２０５号公報
【発明の開示】
【発明が解決しようとする課題】
【０００３】
しかし、従来の建物移動工法では、建物床下の所望の土台下部の空間に基礎を壊して穴を開け、そこに長大な重量のある太い鋼材を挿入している。また、建物が地盤の不同沈下により傾いた場合でも、基礎の上に平行材を設置したり、古い基礎を撤去して新しい基礎を構築したりする場合、基礎に長大な鋼材を使用する事が多く、新基礎に大きな引き抜き孔や欠損が生じてしまい、新設の基礎でも分断された基礎となって弱体化されてしまうことがある。また、長大な補強材の必要性は、運搬時の経済性若しくは工事の危険性が増加する。本発明に係る建物基礎の無傷移動工法は、このような課題を解決するために提案されたものである。
【課題を解決するための手段】
【０００４】
本発明に係る建物基礎の無傷移動工法の上記課題を解決して目的を達成するための要旨は、建物の土台と基礎との間に介在物を挟んで隙間を形成し、前記隙間に小補強鋼材を差し込み、前記小補強鋼材の端部を筒状の大補強鋼材の端部における筒状内部に挿入して固定し、前記大補強鋼材の下部にジャッキと該ジャッキの下に耐圧版をそれぞれ設けて、前記ジャッキを駆動させて前記建物を持ち上げ、または、持ち上げて更に移動させることである。
また、建物の土台と基礎との間に介在物を挟んで隙間を形成し、前記隙間に小補強鋼材を差し込み、前記小補強鋼材の端部を大補強鋼材の端部の上に載置して固定し、前記大補強鋼材の下部にジャッキと該ジャッキの下に耐圧版をそれぞれ設けて、前記ジャッキを駆動させて前記建物を持ち上げ、または、持ち上げて更に移動させることである。
【０００５】
前記介在物は、防振ゴムパッキン，木材，金属板であることを含むものである。
【発明の効果】
【０００６】
本発明の建物基礎の無傷移動工法によれば、修正若しくは移動対象の建物における新設の基礎又は既設の基礎を、何ら傷つけることなく、工事が行われるようになり、基礎支持力の低下を防止することができる。建物の土台と基礎との間に差し込む小補強鋼材を、適宜に自由な鋼材を所望の形状に形成して組み合わせて使用することで、建物の運搬，移動，持ち上げ等の各種工事の省力化を図ることができる。
【発明を実施するための最良の形態】
【０００７】
本発明に係る建物基礎の無傷移動工法は、図１に示すように、まず、傾き修正，持ち上げ，移動等の対象である建物１における柱１ａ下の土台２と基礎３との間に介在物４を挟んで隙間ａを形成する。この介在物４は、例えば、防振ゴムパッキン、木材、鉄板等の金属板である。
【０００８】
図１（Ｃ）に示すように、所望の箇所において、前記隙間ａに小補強鋼材５を差し込み、前記小補強鋼材５の端部５ａを筒状の大補強鋼材６の端部６ａにおける筒状内部に挿入して、結束具若しくはボルト・ナットなどで固定する。
【０００９】
更に、図２に示すように、前記大補強鋼材６の下部に所要数のジャッキ７と、該ジャッキ７の下に鋼製で平板状の耐圧版８を地盤９の上に敷設して、それぞれ設ける。
【００１０】
前記小補強鋼材５の固定方法は、図３（Ａ），（Ｂ），（Ｃ）に示すように、角型鋼管等の大補強鋼材６に対して、挿入した時に上下方向でのガタ分がないように、固定部５ｂが形成されており、また、左右方向の突出長さの調整のための貫通孔５ｃが複数箇所に設けられている。更に、前記大補強鋼材６の端部６ａにも、位置決め用のボルト１０を挿通させる貫通孔６ｂが設けられている。
【００１１】
前記小補強鋼材５を前記大補強鋼材６の左右方向から、固定部５ｂから先に差し込み、
図３（Ｂ）に示すように、適宜の位置にて、前記位置決め用ボルト１０を上下に貫通させ、貫通孔６ｂおよび貫通孔５ｃを連通させる。このようにして、小補強鋼材５の固定が行われる。
【００１２】
これにより、前記ジャッキ７を駆動させて建物１を持ち上げる。このようにして、基礎３に特別な孔を開けることもなく、前記隙間ａを利用して、小補強鋼材５を所要数差し込んで、油圧のジャッキの７などにより持ち上げるので、基礎３の欠損が無く、基礎３が弱体化するのを防止することができる。
【００１３】
本発明の他の工法は、図４に示すように、小補強鋼材１１の端部１１ａを、大補強鋼材１２の端部１２ａの上に載置して固定して行う工法であり、その点が前記実施例と異なるものである。
即ち、図５（Ａ），（Ｂ）に示すように、小補強鋼材１１に、取り付け用の貫通孔１１ａを設け、角筒型の大補強鋼材１２にも貫通孔を設けて、これをボルト１０で前記小補強鋼材１１の左右方向での突出量を決めて、固定する。
また、図６（Ａ）〜（Ｅ）に示すように、大補強鋼材１３がＨ型鋼である場合には、そのウェブ１３ｂに小補強鋼材１１をボルト１０・ナットで固定するものである。
【００１４】
その後、前記大補強鋼材１２、１３の下部にジャッキ７と該ジャッキ７の下に耐圧版８をそれぞれ設けて、前記ジャッキ７を駆動させて前記建物１を持ち上げ、または、持ち上げて更に移動させるものである。
【００１５】
このようにして、建物１の持ち上げ等の工法が容易に実行できるようになり、前記小補強鋼材５，１１は左右方向に伸張自在であって適宜に伸張させたりすることができ、交換も容易であり、且つ、転用が容易である。基礎３には特別に孔などの欠損が生じないので、強度上の弱体化にならない。
【図面の簡単な説明】
【００１６】
【図１】本発明に係る建物基礎の無傷移動工法を示す説明図（Ａ），（Ｂ），（Ｃ）である。
【図２】同本発明の建物基礎の無傷移動工法の説明図であるである。
【図３】同小補強鋼材５と大補強鋼材６との固定方法を説明する説明図（Ａ）と、断面図（Ｂ）と、平面図（Ｃ）とである。
【図４】同本発明の他の工法に係る説明図である。
【図５】同大補強鋼材１２の上に小補強鋼材１１を載せて固定する方法を示す正面図（Ａ）と平面図（Ｂ）とである。
【図６】同Ｈ型鋼の大補強鋼材１３の上に小補強鋼材１１を固定する方法を示す正面図（Ａ）と側面図（Ｂ）と、平面図（Ｃ）とその側面図（Ｄ）、大補強鋼材１３を上下方向に設置して使用する場合の側面図（Ｅ）である。
【符号の説明】
【００１７】
１          建物、                          １ａ        柱、
２          土台、
３          基礎、
４          介在物、
５          小補強鋼材、                    ５ａ        端部、
５ｃ        貫通孔、
６          大補強鋼材、                    ６ａ        端部、
６ｂ        、
７          ジャッキ、
８          耐圧版、
９          地盤、
１０        ボルト、
１１        小補強鋼材、
１２、１３  大補強鋼材、                    １３ａ        フランジ、
１３ｂ      ウェブ。
【図１】
2006348512.tif 000003
【図２】
2006348512.tif 000004
【図３】
2006348512.tif 000005
【図４】
2006348512.tif 000006
【図５】
2006348512.tif 000007
【図６】
2006348512.tif 000008